(57)【特許請求の範囲】
【請求項１】
リール本体に設けられたハンドルの回転操作で連動回転する駆動軸に固定されるロータを有する魚釣用スピニングリールにおいて、
前記ロータは、前記駆動軸に固定される固定部と、該固定部の両側に対向して形成されるとともに前方に向けて突出される一対のアーム部とを有し、
前記ロータと別体の略環状の補強部材が一方のアーム部の外側または内側から他方のアーム部の外側または内側にわたって架設固定され、この補強部材は、前記リール本体側に向けて凸状となるように円弧状に湾曲する湾曲部を有することを特徴とする魚釣用スピニングリール。
【請求項２】
前記ロータの固定部の後部は、前記補強部材と対向する側に開放部を形成することを特徴とする請求項１に記載の魚釣用スピニングリール。
【請求項３】
前記アーム部の前部に支持部材が揺動可能に支持され、その支持部分に前記補強部材が固定されることを特徴とする請求項１または請求項２に記載の魚釣用スピニングリール。
【請求項４】
前記補強部材が前記アーム部に対して着脱自在に固定されることを特徴とする請求項１ないし請求項３のいずれか１項に記載の魚釣用スピニングリール。
【発明の詳細な説明】
【技術分野】
【０００１】
本発明は、ハンドルの回転操作に連動回転するロータ部分に設けた釣糸案内部を介してスプールに釣糸を巻回する魚釣用スピニングリールに関する。
【背景技術】
【０００２】
通常、魚釣用スピニングリールは、釣糸案内部を備えたロータと、釣糸が巻回されるスプールとを備えており、ハンドルの回転操作により前記ロータを回転させると同時に、前記スプールを往復動させる構成となっている。前記ロータには、円筒状に構成された本体部の後部両側に一対のアーム部が対向形成されており、一方のアーム部に設けられた前記釣糸案内部を介して、前後動するスプールに釣糸が巻回されるようになっている。
【０００３】
上記した構成の魚釣用スピニングリールでは、実際に魚の当たりがあってハンドルを巻き取る際に、釣糸に大きな負荷が掛かる場合（強負荷が加わった場合の巻き取り操作時や、強張力での釣り糸繰り出し時など）があり、そのような場合には、ロータのアーム部が径方向内方に変形し、状況によっては、アーム部の内側面がスプールのスカート外周に当たる可能性がある。また、ドラグ繰り出し時に、前記アーム部の変形によって脈動が発生してしまい、スムーズな釣糸の繰り出しが行えない等の問題もある。
【０００４】
そこで、例えば、特許文献１には、一対のアーム部の先端部側に、帯状の補強部材をロータの外周と所定の距離をあけて釣糸放出位置側に円弧状に橋設した魚釣用スピニングリールが開示されている。
【先行技術文献】
【特許文献】
【０００５】
【特許文献１】特許第２８９４４２２号
【発明の概要】
【発明が解決しようとする課題】
【０００６】
しかし、特許文献１に開示された魚釣用スピニングリールは、スプールの外周の一部を取り囲むように補強部材をロータの円筒部外周から所定の距離を隔てて一対のアーム部の先端部間に円弧状に架設する構造であるため、ロータの前方側に重量が偏り、そのため、効率良く重量バランスを図ることが難しい。また、釣糸を巻き取るスプールの外周側に補強部材が配置されているため、釣糸が補強部材に絡み易く、また、補強部材が邪魔になってラインホルダへの釣糸係止が行ない難い。
また、特許文献１に開示された魚釣用スピニングリールにおいて、アーム部は、先端側に補強部材が架設されることに起因して、その基部が厚肉形状になっており、そのため、ロータ全体が重量化して慣性力が大きくなり、ロータの回転／停止の操作感度に劣り、魚信に対して敏感に反応できない（釣り操作性に劣る）。
【０００７】
本発明は、上記した問題に着目してなされたものであり、釣糸操作を阻害することなくアーム部を十分に補強できるとともに、ロータ全体の軽量化を図ることができる重量バランスの優れた魚釣用スピニングリールを提供することを目的とする。
【課題を解決するための手段】
【０００８】
上記した目的を達成するために、本発明に係る魚釣用スピニングリールは、リール本体に設けられたハンドルの回転操作で連動回転する駆動軸に固定されるロータを有する構成において、前記ロータは、前記駆動軸に固定される固定部と、該固定部の両側に対向して形成されるとともに前方に向けて突出される一対のアーム部とを有し、前記ロータと別体の略環状の補強部材が一方のアーム部の外側または内側から他方のアーム部の外側または内側にわたって架設固定され、この補強部材は、前記リール本体側に向けて凸状となるように円弧状に湾曲する湾曲部を有することを特徴とする。
【０００９】
上記した構成の魚釣用スピニングリールによれば、ロータと別体の補強部材が一方のアーム部の外側または内側から他方のアーム部の外側または内側にわたって架設固定されるため、釣糸の張力によってアーム部に大きな負荷が作用しても、その補強部材で応力の分散が図れ、アーム部を効果的に補強して変形等することが防止されるとともに、ロータ全体の軽量化を図りながら不必要に重量化を招くことを回避できる。また、補強部材は、略環状を成しているため、ロータの重量の偏りを回避でき、効率良く重量バランスを図ることができる（ロータの回転バランスが良い）。更に、補強部材がスプールの外周側ではなくアーム部の周囲に配設された状態となるため、釣糸が補強部材に絡み付く虞もない。したがって、釣糸操作を阻害しない。また、可及的にロータの軽量化が可能となるため、ロータのイナーシャ（慣性）の低減が図られ、ロータの回転および停止の操作感度が向上して、釣糸の張力変化に敏感に反応でき、魚信感度が格別に向上する（釣り操作性が向上する）。
【発明の効果】
【００１０】
本発明によれば、釣糸操作を阻害することなくアーム部を十分に補強できるとともに、ロータ全体の軽量化を図ることができる重量バランスの優れた魚釣用スピニングリールが得られる。
【図面の簡単な説明】
【００１１】
【図１】本発明に係る魚釣用スピニングリールの一実施形態を示す図であり、全体構成を示す図。
【図２】釣糸案内部側のロータの側面図（図１のＡ方向矢視図）。
【図３】図２と反対側のロータの側面図（図１のＢ方向矢視図）。
【図４】図２のＣ−Ｃ線に沿う断面図。
【図５】図４のＤ−Ｄ線に沿う断面図。
【図６】図４に対応するロータ部分の概観図（補強部材を取り付ける様子を示す図）
【図７】ロータの平面図。
【図８】補強部材の平面図。
【図９】補強部材の取り付けネジを内側から締め付け可能にする変形例の断面図。
【発明を実施するための形態】
【００１２】
以下、図面を参照しながら本発明に係る魚釣用スピニングリールの実施形態について説明する。なお、本出願の全体にわたって、軸方向とは、スプール軸に沿った方向を意味し、後方とは、対象としている部材のリール本体側、前方とは、対象としている部材のスプール側を意味する。
【００１３】
本実施形態の魚釣用スピニングリールのリール本体１には、回転操作されるハンドル２と、ハンドル２の回転操作によって回転駆動されるロータ３と、ロータ３の回転駆動と同期して前後動されるスプール５とが設けられている。
【００１４】
前記リール本体１内には、公知のように、前記ハンドル２が装着されたハンドル軸７３が軸受を介して回転可能に支持されており、ハンドル軸７３には、ハンドル２の回転操作を前記ロータ３に伝達すると共に前記スプール５に伝達する動力伝達機構７５が係合されている。
【００１５】
この場合、動力伝達機構７５は、ハンドル軸７３に一体回転可能に装着される駆動歯車（ドライブギヤ）７２と、ハンドル軸７３に対して直交する方向に延出する回転軸筒（駆動軸）８とを備えている。そして、回転軸筒８の後方側には、駆動歯車７２と噛合するピニオン８ａが形成されており、先端部には、後述するように、ロータナット９を螺合することで、前記ロータ３が回転軸筒８に対して取り付けられている。
【００１６】
また、前記回転軸筒８の内部には、前部に、釣糸が巻回される前記スプール５を保持したスプール軸５ａが挿通されている。このスプール軸５ａには、公知のオシレーティング機構８０が連結されており、ハンドル軸７３がハンドル２の回転操作によって回転されると、スプール軸５ａは軸方向に沿って前後往復駆動される。
【００１７】
上記した構成により、前記ハンドル２を回転操作することで、前記ロータ３は、前記動力伝達機構を介して回転駆動され、かつ前記スプール５は、前記オシレーティング機構を介して前後に往復駆動され、釣糸は、ロータ３に設けられる釣糸案内部１５を介して、スプール５の釣糸巻回胴部５ｂに均等に巻回される。
【００１８】
次に、前記ロータ３の構成について説明する。  
前記ロータ３は、前記回転軸筒（駆動軸）８に対して固定される板状の固定部２０と、固定部２０の両側で径方向外方に突出形成される一対のアーム部２２，２２とを有する。
【００１９】
固定部２０は、ロータナット９によって回転軸筒８に固定される部分であり、本実施形態では、図５にも示すように、軸方向に対して直交する方向に延びて所定の面積を有する領域として構成されている。具体的に、本実施形態の固定部２０は、ロータナット９のような固定部材によってロータ３を回転軸筒８に対して固定できるよう平坦状に構成されており、その中央部分に開口２０ａを形成し、ここに回転軸筒８を挿入してロータナット９を螺合することで、回転軸筒８に対してロータ３が回り止め固定される。なお、固定部２０の中心（開口２０ａの中心領域）は、スプール軸５ａが挿通される部分となる。
【００２０】
一方、各アーム部２２，２２は、固定部２０の周縁から径方向外方に突出するよう構成されており、本実施形態では、挿通される回転軸筒８を中心として径方向（略１８０°間隔）に延出するように一対形成されている。具体的には、各アーム部２２，２２は、板状の固定部２０の両側から軸方向に沿って後方へ延びて、径方向外側に延出した後、再び軸方向に沿って前方へ延出されており、これにより、回転軸筒（駆動軸）８の両側に略平行に対向して位置される。なお、これらのアーム部２２には、後述するように、一方のアーム部２２の外側または内側から他方のアーム部２２の外側または内側にわたって、固定部２０を囲繞するように前方から後方に向けて見た形態が略環状に形成されたロータ３と別体の帯状の補強部材２５が架設固定される。
【００２１】
また、前述したように、一対のアーム部２２，２２は、固定部２０の周縁から後方側へ向かうように突出形成されており、それにより、これら一対のアーム部２２間には、ロータ３の固定部２０の後方側に開放部Ｓが形成される（図４等参照）。すなわち、ロータ３の固定部２０の後部は、補強部材２５と対向する側に、周壁の無い開口部（開放部Ｓ）を有する。なお、この開放部Ｓ内には、リール本体１の前方に突出形成された円筒部（キャップ）１Ａが配された状態となっている。この場合、前記円筒部１Ａ内には、前述した動力伝達機構７５の一部が収容される。これにより、リール本体１がコンパクト化される。
【００２２】
前記補強部材２５は、固定部２０に対して径方向外方に突出形成された一方のアーム部２２の外側または内側から他方のアーム部２２の外側または内側にわたって固定部２０を囲繞するように架設固定される略環状の帯状部材である。特に、本実施形態では、補強部材２５が一方のアーム部２２の外側から他方のアーム部の外側にわたって架設固定される。なお、環状状とは、図５に示すように、ロータ３を平面視した際、固定部２０を所定の空隙を介して囲繞するような形状であれば良く、本実施形態では、回転バランスを考慮して、平面視した際、楕円状に形成されている。しかしながら、円形に近い楕円形状や円形状など、その形状は特定されず、適宜変更は可能である。
【００２３】
また、補強部材２５の一部には、前方に向けて延出し、アーム部２２に装着可能な装着部２６が形成されている。具体的に、本実施形態の装着部２６は、図５に示すように、補強部材２５の両側にほぼ１８０度の角度間隔を隔てて一対設けられており、アーム部２２に対するその取り付け状態でリール本体１側に向けて凸状となるように円弧状に湾曲する補強部材２５の湾曲部２５ｂの前方側端部に形成されている。なお、湾曲部２５ｂは、装着部２６，２６同士を接続するように凸形状の頂点に対応する補強部材２５の後端基部２５ａから両側に向けて湾曲しながら前方へと円弧状に延びている。このため、図４を９０°回転させた方向から見ると、図２および図３に示すように、装着部２６は、前方に移行するにしたがって次第に接近する補強部材２５の湾曲部２５ｂの前端部に配置されており、対向形成される両装着部２６の後方側は、開口した状態（空隙部Ｓ１が形成された状態）となっている。なお、空隙部Ｓ１を形成する開口については、側面視した際、後端基部２５ａの部分で最も広く（開口幅Ｌ・・・図３参照）なっており、前方に移行するにしたがって次第に狭くなる。つまり、アーム部２２に装着される補強部材２５は、後方側に向けて拡開する略ハの字状に形成される。
【００２４】
また、本実施形態では、補強部材２５が装着されるアーム部２２の前部に支持部材１６が回動（揺動）可能に支持され、その支持部分に前記補強部材２５が着脱可能に固定されるようになっている。具体的には、例えば、各アーム部２２の前端部に取付軸部２２Ａを径方向外側に向けて突設するとともに、この取付軸部２２Ａにネジ穴２２ａを形成し、取付軸部２２Ａを支持部材１６の取り付け孔１６ａおよび補強部材２５の装着部２６の装着孔２６ａに挿通した状態で装着孔２６ａ側からネジ穴２２ａ内へネジ部材３０を螺合することにより、支持部材１６および補強部材２５（補強部材２５の装着部２６）がアーム部２２に対して一括して装着される。このような装着形態については、適宜変形することが可能であり、例えば、各装着部２６をアーム部２２の径方向内側に取り付けて良い。
【００２５】
なお、回動可能な支持部材１６には、釣糸をピックアップするベール１７が装着されており、ベール１７の一方の基部側に釣糸案内部１５が設けられている。そして、支持部材１６は、釣糸案内部１５から釣糸を外す釣糸放出位置と、前記ベール１７を介して釣糸をピックアップして釣糸を釣糸案内部１５に案内する釣糸巻き取り位置との間で反転回動可能になっている。つまり、釣糸放出後、容易に釣糸巻き取り状態に復帰させることが可能となっている。
【００２６】
また、本実施形態において、一方のアーム部２２（釣り糸案内部１５側のアーム部２２）内には、図４に示されるように、支持部材１６を釣糸巻き取り位置と釣糸放出位置との間で振り分け保持する振り分け保持機構が配される。この振り分け保持機構は、支持部材１６の回動部の周囲に円弧状の溝が形成されると共に、アーム部２２に前記溝に嵌合する突起が形成された構成となっている。そして、支持部材１６に、公知の振り分け保持バネ３７に係合する係合部の一端３７ａを係合し、アーム部２２内に、その他端３７ｂを固定しておくことで、支持部材１６を、釣糸巻き取り位置と釣糸放出位置との間で振り分け保持することが可能である。
【００２７】
すなわち、支持部材１６が、図１，２，３で示す釣糸巻き取り位置にある場合、振り分け保持バネ３７の付勢力によって支持部材１６は、反時計回り方向の力を受けるが、前記突起が前記溝の一端に当て付くことで、その位置が保持される。そして、支持部材１６を釣り人の手によって時計回り方向に回動操作すると、振り分け保持バネ３７のデッドポイントを超えてその付勢力によって時計回り方向の力を受けるが、前記溝の他端に前記突起が当て付くことで、その位置（釣糸放出位置）が保持される。
【００２８】
また、本実施形態では、他方のアーム部２２内に、釣糸放出位置にある支持部材１６をハンドル２の回転（ロータ３の回転）によって釣糸巻き取り位置へと自動復帰させる切換制御部材としての反転キック部材６５が配されている。図４に示されるように、反転キック部材６５は、その一端が支持部材１６の円弧状の溝に係合し、その他端６５ａがアーム部２２の底部（後端部）の開口２２ｂに位置されており、支持部材１６が釣糸巻き取り位置から釣糸放出位置へと回動されると、反転キック部材６５の一端が前記円弧状の溝の端面に当て付いて、反転キック部材６５の他端６５ａがアーム部２２の開口２２ｂから外側に押し出される。そして、この状態から、ハンドル２を回転させてロータ３を回転させると、開口２２ｂから突出する反転キック部材６５の他端６５ａが、リール本体１の前面に突設された図示しない突起に当て付き、該突起の案内面に沿ってアーム部２２内に押し戻される。これにより、反転キック部材６５の一端が前記円弧状の溝の端面を介して支持部材１６を釣糸巻き取り位置へと反転復帰させる。
【００２９】
上記した構成の魚釣用スピニングリールによれば、ロータ３と別体の補強部材２５が一方のアーム部２２の外側または内側から他方のアーム部２２の外側または内側にわたって架設固定されるため、釣糸の張力によってアーム部２２に大きな負荷が作用しても、その補強部材２５で応力の分散が図れ、アーム部２２を効果的に補強して変形等することが防止されるとともに、ロータ３全体の軽量化を図りながら不必要に重量化を招くことを回避できる。また、補強部材２５は、略環状を成しているため、ロータ３の重量の偏りを回避でき、効率良く重量バランスを図ることができる（ロータ３の回転バランスが良い）。更に、補強部材２５がスプール５の外周側ではなくアーム部２２の周囲に配設された状態となるため、釣糸が補強部材２５に絡み付く虞もない。したがって、釣糸操作を阻害しない。また、可及的にロータ３の軽量化が可能となるため、ロータのイナーシャ（慣性）の低減が図られ、ロータ３の回転および停止の操作感度が向上して、釣糸の張力変化に敏感に反応でき、魚信感度が格別に向上する（釣り操作性が向上する）。
【００３０】
また、本実施形態では、アーム部２２に対して支持部材１６および補強部材２５を一括して同時に装着できるため、組み立て性が良好である（組み立て工数が少なく、製造コストを低減することが可能になる）。また、本実施形態において、ロータ３の固定部２２の後部は、補強部材２５と対向する側に開放部Ｓを形成しているため、ロータ３をより簡素化して軽量化を図ることが可能となる。
【００３１】
また、本実施形態では、一対のアーム部２２間に、各種機能部品を設置したリール本体１の円筒部１ａを配置しているため、リール本体１のコンパクト化を図りつつ、ロータ３の重量を可能な限り軽量化することが可能となる。
【００３２】
以上、本発明の実施形態について説明したが、本発明は上記した実施形態に限定されることはなく、種々変形することが可能である。例えば、固定部２０の形状、各アーム部２２の幅、突出長さ、及び、アーム部２２と補強部材２５との接続態様については、適宜変形することが可能である。また、環状に構成される補強部材２５の全体形状については、湾曲部や直線状部などを複合的に組み合わせたり、湾曲部のみで構成しても良く、その肉厚や幅等の構造については、スプール５を挟んで対称的に構成されていても良いし、非対称にする等、適宜変形することが可能である。また、補強部材２５は、中空状に構成されていても良い。また、補強部材２５の断面形状については、円形、楕円形、矩形にする等、適宜変形することが可能であり、その表面についても、例えば、外観性を向上するために、各種模様を形成したり、表面処理を施しても良い。また、前記固定部２０、及び、一対のアーム部２２によって、部分的に円筒状に形成される部分があっても良い。更にまた、アーム部２２に対して補強部材２５および支持部材１６を取り付けるネジ部材３０を、図９に示されるように、アーム部２２の径方向内側から締め付けできるようにしてもよい。また、ロータ３および補強部材２５に使用される材料は、金属、樹脂、ＦＲＰ等、適宜選定されるが、ロータ３の固定部２０および一対のアーム部２２，２２等の板状部を、カーボン織布シートを積層成形して形成し、補強部材２５を樹脂、ＦＲＰで形成したものと組み合わせることで可及的な軽量化が可能となる。
【符号の説明】
【００３３】
１  リール本体
２  ハンドル
３  ロータ
８  回転筒軸（駆動軸）
１６  支持部材
２０  固定部
２２  アーム部
２５  補強部材
Ｓ  開放部
【図１】
0005427645.tif 000002
【図２】
0005427645.tif 000003
【図３】
0005427645.tif 000004
【図４】
0005427645.tif 000005
【図５】
0005427645.tif 000006
【図６】
0005427645.tif 000007
【図７】
0005427645.tif 000008
【図８】
0005427645.tif 000009
【図９】
0005427645.tif 000010